(57)【要約】【課題】川床を掘り下げて多量の砂利・砂の材料を採掘するにもかかわらずその埋め戻しを合理的になすために利益が生じ得るだけでなく、環境に負荷がかからなく、しかも、得られた利益で「効率的かつ効果的な公共サービス」をなしうる川砂利の採取方法を提供する。【解決手段】川床の上に川に沿って仮道を設けるか、若しくは既存の仮道を撤去して仮道を新設する場合において、仮道の新設予定箇所に沿ってコンクリートの骨材となる川床の砂利・砂を採取しながら深くまで採掘し、採掘により生じた幅穴を安価な山土類の投入で埋め戻し、埋戻し山土類を押し固めた地盤の上に、コンクリートまたはアスファルト等で舗装を施し、幅穴に埋まる山土類を舗装で封じ込める。【選択図】    図１
2008297858.tif 000002
【特許請求の範囲】
【請求項１】
川床の上に川に沿って仮道を設けるか、若しくは既存の仮道を撤去して仮道を新設する場合において、仮道の設置予定箇所に沿ってコンクリートの骨材となる川床の砂利・砂を採取しながら深くまで採掘し、採掘により生じた幅穴を安価な山土類の投入で埋め戻し、埋戻し山土類を押し固めた地盤の上に、コンクリートまたはアスファルト等で舗装を施し、幅穴に埋まる山土類を舗装で封じ込めることを特徴とする川砂利の採取方法。
【請求項２】
舗装の幅の中央部に高台の仮道を設けることを特徴とする請求項１記載の川砂利の採取方法。
【発明の詳細な説明】
【技術分野】
【０００１】
この発明は、川床に堆積しているコンクリートの骨材となる砂利・砂を採掘する川砂利の採取方法に関する。
【背景技術】
【０００２】
河川には一般的に多くの砂利が堆積している。これはもともと河川の上流地域で崩落した岩石が自然の水の力で流されながら、砂利（５ｍｍ以上のもの）や砂（５ｍｍ以下のもの）となって川床に堆積したものである。従来、これを採掘し、水洗い、ふるい分け選別することによりコンクリートの骨材が生産されていたが、生成の経過から粒形に丸みがあることから、コンクリートの流動性を得る上で高品質の有効な天然骨材であり、今後予定されている新幹線などの線路敷設の工事にも欠かせないものである。しかし、天然骨材の使用には幾つかの問題がある。
【０００３】
これについては、まず、河川の砂利は採掘により採掘可能性から見て枯渇状態にあり採掘しにくくなっており、また、採掘可能であっても採掘で環境に負荷がかかるのでそれを低減する必要があることが挙げられる。そこで、天然骨材の代わりとして、安山岩、砂岩、石灰岩などの岩石を砕いた砕砂や砕石等の人工骨材が使用される傾向があり、コンクリート骨材としては、現在、日本では、砕石が５０％を超え、砕砂が２０％を超える使用割合となっている。しかし、これは流動性など多くの点で人工骨材に劣ることは述べた通りである。
【０００４】
環境負荷については、川床の採掘により河川敷が荒れ放題になり、それを修復するには多大の経費がかかる。しかも、河川に面する土手や崖、道路などの崩落を招く原因となる危険があり、また、土砂が海に運ばれる量が減少する結果、それが海岸の浸食を招く大きな一因ともなっている。また、採掘により生じた穴を山土などで埋め戻したにしても、洪水の際に流出し下流の汚染を招く不都合があった。
【０００５】
ところで、国の政策として平成１１年７月にＰＦＩ法（民間資金等の活用による公共施設等の促進に関する法律）が制定されている。このＰＦＩは、公共施設等の建設、維持管理、運営等について民間の資金、経営能力及び技術的能力を活用しようとするもので、国や地方公共団体等が直接実施するよりも効率的かつ効果的に公共サービスを提供でる事業として、この事業活動について、補助金、融資等の面で国から援助が得られる。しかし、川床の単なる砂利の採掘は、それ自体「効率的かつ効果的な公共サービス」に属しないために、援助は認められない。
【発明の開示】
【発明が解決しようとする課題】
【０００６】
この発明は、上記のような実情に鑑みて、川床を掘り下げて多量の砂利・砂の材料を採掘するにもかかわらずその埋め戻しを合理的になすために利益が生じ得るだけでなく、環境に負荷がかからなく、しかも、得られた利益で「効率的かつ効果的な公共サービス」をなしうる川砂利の採取方法を提供することを課題とした。
【課題を解決するための手段】
【０００７】
上記の課題を解決するために、この発明は、川床の上に川に沿って仮道を設けるか、若しくは既存の仮道を撤去して仮道を新設する場合において、仮道の新設予定箇所に沿ってコンクリートの骨材となる川床の砂利・砂を採取しながら深くまで採掘し、採掘により生じた幅穴を安価な山土類の投入で埋め戻し、埋戻し山土類を押し固めた地盤の上に、コンクリートまたはアスファルト等で舗装を施し、幅穴に埋まる山土類を舗装で封じ込めることを特徴とする川砂利の採取方法を提供する。
【０００８】
川砂利の採取方法を上記のように構成したから、川床から深く採掘した砂利・砂は、ゴミ等の不純物が少なく、天然コンクリート骨材を生産する後の処理工程が容易であって、品質の高い製品として高価に出荷でき、山土類で埋め戻す経費等を差し引いても高い利益が得られる。この利益を充当して公共施設として十分に立派な舗装で仮道を新規に造成でき、また、その後の維持管理費に利益を当てることもできる。また、埋め戻された山土類は舗装で封じられるので、洪水があっても流出して下流に悪影響をもたらすおそれもない。
【０００９】
したがって、ＰＦＩが期待する「コスト削減、質の高い公共サービスの提供」が可能であり、また、事業の性格が「民間事業者の自主性と創意工夫を尊重することにより、効率的かつ効果的に実施すること。（効率性原則）」としてＰＦＩ事業の性格にも適合することから、この事業認定を受けやすいと考えられる。また、たとえ、事業認定を受けられないとしても、経営的に管理運営が可能であると考えられる。
【発明の効果】
【００１０】
以上説明したように、この発明によれば、川床を掘り下げて多量の砂利・砂の材料を採掘するにもかかわらずその埋め戻しを安価な山土類でなすために、利益を創出することができ、しかも、埋め戻しが流出しないように舗装でそれを封じておくので、当地の環境や下流の環境に悪影響を及ぼすことはなく、加えて、得られた利益で、「効率的かつ効果的な公共サービス」をなし得ることから、ＰＦＩの認定を受ける条件を整いやすく、また、それを受けなくても経営として仮道の維持管理をなしうる経済性があるという優れた効果がある。
【発明を実施するための最良の形態】
【００１１】
次に、この発明の実施形態を図面に基づいて説明する。
【００１２】
図１ないし図３は、川砂利の採取方法の一実施の形態を示したもので、その手順については、図示の場合であると、崖２に面した川床Ｆの上に既存の仮道１ａが造られているので（図１）、その仮道１ａを撤去してその下に埋蔵している砂利・砂３を採取し、その際に掘った幅穴５を埋め戻すために崖２を切り崩してその土７を投入し（図２）、その上に舗装９を施工した（図３）。なお、舗装にはコンクリートやアスファルトが用いられる。
【００１３】
図１において、川床Ｆで二点鎖線５ａで示す箇所が予定する採掘範囲であって、ショベルカー１１で救い取った砂利・砂３はダンプカー１３に積まれ、近くに建設されている処理工場で、その砂利・砂３が水洗い、ふるい分け選別され、川砂、川砂利に分けてコンクリートの骨材として出荷される。
【００１４】
図２は、掘削した幅穴５を山土類７ａで埋め戻した状態を示したものである。この場合は、近くに崖２があるので、ショベルカー１１で削りながら土７を容易に投入できるが、崖２が無い場合は、山土や腐葉土等をダンプカーで運んでそれを投入する。これらの材料は、普通には安価に入手でき、著しく割安なので商品としての川砂、川砂利の価格にほとんど影響しない。いずれにしても、埋め戻しの山土類７ａは、ローラー等により十分押し固めて、下がった箇所（図２の二点鎖線の位置Ｐ）から舗装工事を行う。
【００１５】
図３は、舗装工事を完了した状態を示したもので、締め固めた山土類７ａの上に玉砂利１３を敷き詰め、それも固めた上にコンクリートを打ち込んで仮道１の舗装９を形成する。なお、図示の場合であると、削った崖２の表面は土止め処理が施され、その下には歩道１５が設けられる。
【００１６】
図４は、他の実施形態を示し、この場合であると、崖に面していなく広い川床Ｆに仮道１を新規に建設したもので、舗装９を施工するまでの手順については前記の実施形態とほゞ同様であるが、多量の砂利・砂３の採掘が望めるので、幅穴５を広く取って山土類７ａで埋め戻し、舗装９の中央部に車両が通行する高台の仮道２を設けた。また、舗装９の両側には、コンクリートまたはアスファルトの歩道１７，１７を設け、それにより川水、雨水の浸透を少しでも防止し、埋め戻しの山土類７ａの安定性を一層保持される。
【００１７】
なお、仮道１，２の途中に、お土産品売り場、コンビニ、飲食店等を建設する場合には、同じようにして、砂利・砂を採掘した幅穴に山土類を投入して建設地盤を形成するが、幅穴にはコンクリート杭を打ち込んで、安定した地盤の上に店舗の建設をなす。そうすれば、同じように、ここでも環境に負荷を掛けないで、砂利・砂の採取が可能である。
【図面の簡単な説明】
【００１８】
【図１】この発明による川砂利の採取方法実施地域として崖下に既存の仮道を有する場所を工事施工開始時点で示す断面図である。
【図２】同場所において川床の砂利・砂を採掘するとともに、採掘幅穴に崖からの山土類を投入して埋め戻した状態を示す断面図である。
【図３】同場所において工事が完了し埋め戻し箇所に舗装された仮道ができた状態を示す断面図である。
【図４】他の場所における川砂利の採取方法を仮道ができた工事完了状態で示す断面図である。
【符号の説明】
【００１９】
Ｆ  川床
１，２  仮道
１ａ  既存の仮道
５  幅穴
７ａ  山土類
９  舗装
【図１】
2008297858.tif 000003
【図２】
2008297858.tif 000004
【図３】
2008297858.tif 000005
【図４】
2008297858.tif 000006